(57)【特許請求の範囲】
【請求項１】
薄型のハウジングを有し、キートップを有し、ハウジングとキートップとの間に介在して両者を結合する第１のパンタグラフ状リンクおよび第２のパンタグラフ状リンクより成るリンクを有し、ハウジングに収容されるメンブレンスイッチを有し、メンブレンスイッチを駆動する押圧部が形成されると共にキートップを扛上状態に保持するクリック反転ドームを有するキーボードにおいて、
メンブレンスイッチを収容する収容凹部をハウジングの上面に形成し、
クリック反転ドームは円筒部と、ドーム部と、ドーム部下端に一体に形成される肉厚部と、ドーム天井に一体に形成される押圧部とより成り、
第１のパンタグラフ状リンクの脚部を保持する脚部摺動保持部および第２のパンタグラフ状リンクの脚部を保持する脚部回動保持部をハウジングの上面に形成し、
第１のパンタグラフ状リンクのキートップ支持部の回動保持部と第２のパンタグラフ状リンクのキートップ支持部の摺動保持部とクリック反転ドームの固定支持部である突起とをキートップに形成し、
脚部摺動保持部と脚部回動保持部とを挿通する貫通孔および接点駆動操作孔を形成したキーボード基板を収容凹部を覆ってこのキーボード基板の一辺を収容凹部の内壁に形成された溝に押し込んでハウジング上面に取り付け固定し、
組み立てられたリンクの一方の脚部を脚部摺動保持部に係合せしめると共に脚部の他方の脚部を脚部回動保持部に嵌合保持させて、リンクをハウジングに支持させ、
クリック反転ドームを円筒部および突起を介してキートップに嵌合固定し、リンクのキートップ支持部の内の一方にキートップの摺動保持部を係合すると共に他方のキートップ支持部を回動保持部に嵌合保持させてキートップをリンクに結合して、クリック反転ドームの肉厚部をキーボード基板に支持させたことを特徴とするキーボード。
【発明の詳細な説明】
【発明の属する技術分野】
【０００１】
この発明は、キーボードに関し、特に、第１のパンタグラフ状リンクおよび第２のパンタグラフ状リンクより成るリンクをハウジングに支持せしめると共にクリック反転ドームをハウジング３に結合一体化されたキーボード基板に支持せしめてキートップ４操作時のオン操作ストロークを一定に確保することができ、安定したオンフォローを得るキーパンタグラフ状リンクおよびクリック反転ドームをメンブレンスイッチに支持させないキーボードに関する。
【０００２】
【従来の技術】
従来例を図５を参照して説明する。
１はキーボード基板を示し、３はハウジングを示す。ハウジング３には、その下側に、収容凹部３０が形成され、後で具体的に説明されるメンブレンスイッチ２が収容されている。
４はキートップを示す。このキートップ４は、ハウジング３とキートップ４との間に介在して相互に軸支されて回動す関係にある第１のパンタグラフ状リンク５および第２のパンタグラフ状リンク６より成るリンク５０によりハウジング３に結合している。
【０００３】
メンブレンスイッチ２は、ハウジング３の下面に形成される収容凹部３０に対応してキーボード基板１の上面に形成されている。このメンブレンスイッチ２は可動接点シート２１と、スペーサ２２と固定接点シート２３より成る。スペーサ２２は打ち抜かれて接点領域２２１が構成されている。可動接点シート２１の下面には可動接点２１１が形成され、固定接点シート２３上面には可動接点２１１に対向して固定接点２３１が形成されている。この接点領域２２１には、これに対応して可動接点２１１と固定接点２３１の対およびキートップ４の下面に後で説明されるクリック反転ドーム７が設置されてスイッチ部が構成されており、ハウジング３を上或いは下から視てこのスイッチ部が上下左右方向にマトリクス状に複数個形成されてキーボードが構成される。
【０００４】
第１のパンタグラフ状リンク５の上端にキートップ支持部５２が形成され、第２のパンタグラフ状リンク６の上端にはキートップ支持部６２が形成されると共に、キートップ４にはその下面の対向する２辺に回動保持部４１および摺動保持部４２が形成されている。第１のパンタグラフ状リンク５のキートップ支持部５２はキートップ４の回動保持部４１に嵌合して回動保持されると共に、第２のパンタグラフ状リンク６のキートップ支持部６２はキートップ４の摺動保持部４２により摺動状態に保持されている。そして、第１のパンタグラフ状リンク５および第２のパンタグラフ状リンク６の脚部５１、６１についてみると、第１のパンタグラフ状リンク５の脚部５１はハウジング３下面とメンブレンスイッチ２を構成する可動接点シート２１上面との間に形成される脚部摺動保持部３２に摺動状態に保持されと共に、第２のパンタグラフ状リンク６の脚部６１はハウジング３自体に形成される脚部回動保持部３３に回動状態に保持されている。第１のパンタグラフ状リンク５の脚部５１および第２のパンタグラフ状リンク６の脚部６１は、組み立てられた状態において図示される通りメンブレンスイッチ２の可動接点シート２１上面に係合して、リンク５０全体はこの可動接点シート２１により下側から支持されている。
【０００５】
７はクリック反転ドームを示す。クリック反転ドーム７は円筒部７１と、ドーム部７２と、ドーム部７２下端に一体に形成される肉厚部７３と、ドーム天井に一体に形成される押圧部７４とより成る。このクリック反転ドーム７はハウジング３に形成される接点駆動操作孔３１を貫通してキートップ４下面とメンブレンスイッチ２の可動接点シート２１の上面との間に介在して、キートップ４を扛上状態に保持している。そして、このクリック反転ドーム７の押圧部７４はキートップ４を押圧操作することによりメンブレンスイッチ２を駆動する。即ち、リンク５０はクリック反転ドーム７が存在しない場合、第１のパンタグラフ状リンク５および第２のパンタグラフ状リンク６は折り畳まれて降下した状態となる。他方において、キートップ４と可動接点シート２１の上面との間に介在せしめるキートップ４に、キートップ４を押し上げてリンク５０を開いた扛上状態にバイアス保持するゴム弾性をクリック反転ドーム７に付与することにより、クリック反転ドーム７をキートップ４下面とメンブレンスイッチ２の可動接点シート２１の上面との間に介在させると、キートップ４を押圧操作しない通常時は、クリック反転ドーム７はキートップ４を押し上げてリンク５０を開いた扛上状態にバイアス保持している。
【０００６】
以上のキーボードにおいて、キートップ４はリンク５０によりハウジング３に結合し、リンク５０の第１のパンタグラフ状リンク５の脚部５１および第２のパンタグラフ状リンク６の脚部６１は、組み立てられた状態においてメンブレンスイッチ２の可動接点シート２１上面に係合して、リンク５０全体はこの可動接点シート２１により下側から支持されている。そして、クリック反転ドーム７はキートップ４の下面とメンブレンスイッチ２の上面との間にを介在せしめられて、メンブレンスイッチ２により下から支持されいる。ここで、メンブレンスイッチ２に何らかの形状構造上の変形が生ずると、これに支持されているリンク５０の脚部５１の摺動する距離が僅かに変動すると共にクリック反転ドーム７の姿勢にも変位を来すこととなり、これに起因してキートップ４が押圧に際して傾斜するに到る。そして、キートップ４の傾斜は、キートップ４を扛上状態に保持するクリック反転ドーム７の形状寸法のバラツキに依っても生ずる。更に、メンブレンスイッチ２に何らかの形状構造上の変形、キートップ４の傾斜が生ずると、キートップ４の操作感覚、メンブレンスイッチ２をオンするストロークにも影響を及ぼすに到る。
【０００７】
図６を参照するに、この従来例は、第１のパンタグラフ状リンク５のキートップ支持部５２および第２のパンタグラフ状リンク６のキートップ支持部６２の双方共に回動保持部４１に嵌合して回動保持され、これに対応して第１のパンタグラフ状リンク５の脚部５１および第２のパンタグラフ状リンク６の脚部６１の双方共にハウジング３下面とメンブレンスイッチ２を構成する可動接点シート２１上面との間に形成される脚部摺動保持部３２に摺動状態に保持せしめられる例である。但し、この従来例の場合、クリック反転ドーム７はキートップ４下面とハウジング３上面との間に介在させられて、メンブレンスイッチ２に支持されてはいない。
【０００８】
しかし、この従来例の場合も、図５の実施例とほぼ同様の問題を生起する。
【発明が解決しようとする課題】
【０００９】
この発明は、第１のパンタグラフ状リンクおよび第２のパンタグラフ状リンクより成るリンクをハウジングに支持せしめると共にクリック反転ドームをハウジングに結合一体化されたキーボード基板に支持せしめてキートップ４操作時のオン操作ストロークを一定に確保することができ、安定したオンフォローを得るキーパンタグラフ状リンクおよびクリック反転ドームをメンブレンスイッチに支持させない、キーボード基板の一辺を収容凹部の内壁に形成された溝に押し込んでこれをハウジングに対して安定化する上述の問題を解消したキーボードを提供するものである。
【００１０】
【課題を解決するための手段】
請求項１：薄型のハウジング３を有し、キートップ４を有し、ハウジング３とキートップ４との間に介在して両者を結合する第１のパンタグラフ状リンク５および第２のパンタグラフ状リンク６より成るリンク５０を有し、ハウジング３に収容されるメンブレンスイッチ２を有し、メンブレンスイッチ２を駆動する押圧部が形成されると共にキートップ４を扛上状態に保持するクリック反転ドーム７を有するキーボードにおいて、メンブレンスイッチ２を収容する収容凹部３０をハウジング３の上面に形成し、クリック反転ドーム７は円筒部７１と、ドーム部７２と、ドーム部７２下端に一体に形成される肉厚部７３と、ドーム天井に一体に形成される押圧部７４とより成り、第１のパンタグラフ状リンク５の脚部５１を保持する脚部摺動保持部３２および第２のパンタグラフ状リンク６の脚部６１を保持する脚部回動保持部３３をハウジング３の上面に形成し、第１のパンタグラフ状リンク５のキートップ支持部５２の回動保持部４１と第２のパンタグラフ状リンク６のキートップ支持部６２の摺動保持部４２とクリック反転ドーム７の固定支持部である突起４３とをキートップ４に形成し、脚部摺動保持部３２と脚部回動保持部３３とを挿通する貫通孔１１および接点駆動操作孔１２を形成したキーボード基板１を収容凹部３０を覆ってこのキーボード基板１の一辺を収容凹部３０の内壁に形成された溝３４に押し込んでハウジング３上面に取り付け固定し、組み立てられたリンク５０の一方の脚部５１を脚部摺動保持部３２に係合せしめると共に脚部５０の他方の脚部６１を脚部回動保持部３３に嵌合保持させて、リンク５０をハウジング３に支持させ、クリック反転ドーム７を円筒部７１および突起４３を介してキートップ４に嵌合固定し、リンク５０のキートップ支持部の内の一方６２にキートップ４の摺動保持部４２を係合すると共に他方のキートップ支持部５２を回動保持部４１に嵌合保持させてキートップ４をリンク５０に結合して、クリック反転ドーム７の肉厚部７３をキーボード基板１に支持させたキーボードを構成した。
【００１１】
【発明の実施の形態】
この発明の実施の形態を図１ないし図４の実施例を参照して説明する。従来例における参照符号と共通する参照符号は互いに同一の部材を示すものとする。
【００１２】
図１ないし図４の実施例において、薄型のハウジング３にはその上面に収容凹部３０が形成されている。この収容凹部３０にはメンブレンスイッチ２が収容されている。このハウジング３には、更に、１対の脚部回動保持部３３および１対の脚部摺動保持部３２が一体成型されている。３４はハウジング３の収容凹部３０の内壁に形成された溝であり、この溝３４にはキーボード基板１が嵌合固定せしめられる。１１はキーボード基板１に穿設された貫通孔であり、脚部摺動保持部３２および脚部回動保持部３３が挿通する。１２は同様に穿設された接点駆動操作孔であり、後で説明されるクリック反転ドーム７の押圧部７４が挿通する。
【００１３】
ハウジング３の収容凹部３０に収容されたメンブレンスイッチ２は可動接点シート２１と、スペーサ２２と固定接点シート２３より成る。スペーサ２２は打ち抜かれて接点領域２２１が構成されている。可動接点シート２１の下面には可動接点２１１が形成されており、固定接点シート２３上面には可動接点２１１に対向して固定接点２３１が形成されている。この接点領域２２１はこれに対応して可動接点２１１と固定接点２３１の対およびキートップ４の下面にクリック反転ドーム７が設置されてスイッチ部が構成され、キーボードの上から視てスイッチ部が上下左右方向にマトリクス状に複数個形成されてキーボードが構成される。
【００１４】
キートップ４は、ハウジング３とキートップ４との間に介在して相互に軸支されて回動す関係にある第１のパンタグラフ状リンク５および第２のパンタグラフ状リンク６より成るリンク５０によりハウジング３に結合している。キートップ４の下面中央部には、クリック反転ドーム７の固定支持部である突起４３が形成されている。
第１のパンタグラフ状リンク５および第２のパンタグラフ状リンク６の上端にはキートップ支持部６２が形成される一方、キートップ４にはその下面の対向する２辺に回動保持部４１および摺動保持部４２が形成されている。第１のパンタグラフ状リンク５のキートップ支持部５２はキートップ４の回動保持部４１に嵌合して回動保持されると共に、第２のパンタグラフ状リンク６のキートップ支持部６２はキートップ４の摺動保持部４２により摺動状態に保持されている。そして、第１のパンタグラフ状リンク５および第２のパンタグラフ状リンク６の脚部５１、６１についてみると、第１のパンタグラフ状リンク５の脚部５１はハウジング３に一体成型される１対の脚部摺動保持部３２に摺動状態に保持されと共に第２のパンタグラフ状リンク６の脚部６１はハウジング３に一体成型される１対の脚部回動保持部３３に回動状態に保持されている。ここで、第２のパンタグラフ状リンク６は半リング状に構成され、その内周面は下から上に向かって少しづつ僅かに径を大きくする傾斜面とされている。第１のパンタグラフ状リンク５の脚部５１がハウジング３に一体成型される１対の脚部摺動保持部３２に摺動状態に保持されと共に第２のパンタグラフ状リンク６の脚部６１がハウジング３に一体成型される１対の脚部回動保持部３３に回動状態に保持されたことで、結局、リンク５０はハウジング３に支持されている。
【００１５】
クリック反転ドーム７は、クリック反転ドーム７の固定支持部であるキートップ４の突起４３に嵌合固定される円筒部７１と、ドーム部７２と、ドーム部７２下端に一体に形成される肉厚部７３とドーム天井に一体に形成される押圧部７４により構成される。クリック反転ドーム７はゴム弾性合成樹脂により構成され、キートップ４を押圧操作すると変形してクリック動作し、押圧操作を解放するとクリック反転し元の状態に復帰する。リンク５０はクリック反転ドーム７が存在しない場合、第１のパンタグラフ状リンク５および第２のパンタグラフ状リンク６は折り畳まれて降下した状態にある。ここで、キートップ４下面の突起４３に嵌合固定された状態のクリック反転ドーム７を、第２のパンタグラフ状リンク６の半リング状に構成される内周面内を貫通して肉厚部７３をキーボード基板１上面に係合させてキートップ４下面とキーボード基板１上面との間に介在させることにより、クリック反転ドーム７はキートップ４を押し上げてリンク５０を開いた扛上状態にリンク５０をバイアス保持している。即ち、クリック反転ドーム７はキーボード基板１の上面に下から支持されている。
【００１６】
以上の説明はキーボードの出来上りの構成の説明であるが、このキーボードは以下の通りの順序に組み立てられる。
（工程１）  先ず、ハウジング３を準備し、ハウジング３の収容凹部３０にメンブレンスイッチ２を収容する。
（工程２）  キーボード基板１に穿設された貫通孔１１に脚部回動保持部３３および脚部摺動保持部３２を挿通せしめた状態でキーボード基板１をハウジング３上面に適用し、ここで、このキーボード基板１の一辺を収容凹部３０の内壁に形成された溝３４に押し込んでこれをハウジング３に対して安定化する。
【００１７】
（工程３）  組み立てられたリンク５０の一方の脚部５１を脚部摺動保持部３２に係合せしめた状態で脚部５０の他方の脚部６１を脚部回動保持部３３に嵌合保持させることにより、リンク５０をハウジング３に取り付ける。
（工程４）  ここで、クリック反転ドーム７をその円筒部７１および突起４３を介して嵌合固定したキートップ４を準備し、リンク５０のキートップ支持部の内の一方６２にキートップ４の摺動保持部４２に係合した状態において他方のキートップ支持部５２を回動保持部４１に嵌合保持させることによりキートップ４をリンク５０に結合する。
【００１８】
以上の４工程によりキーボードの組み立は完了する。
【００１９】
【発明の効果】
以上の通りであって、第１のパンタグラフ状リンク５および第２のパンタグラフ状リンク６より成るリンク５０をハウジング３に支持せしめると共に、クリック反転ドーム７をハウジング３に結合一体化されたキーボード基板１に支持せしめて、これらをメンブレンスイッチ２に支持させない構成を採用することにより、スイッチ部の接点に対する荷重を減少させ、操作性の良好な安定したキー入力を実現することができるに到った。
【００２０】
即ち、キートップ４の操作感に影響を与えるクリック反転ドーム７がキートップ４下面の突起４３に嵌合固定された状態でハウジング３に一体化されたキーボード基板１に係合支持せしめられると共に、リンク５０がハウジング３に支持せしめられているところから、キーボード４の全高寸法はこのキートップ４、ハウジング３、キートップ４に固定しキーボード基板１に係合するクリック反転ドーム７、の３部品により決定されて一定であるので、キートップ４操作時のオン操作ストロークを一定に確保することができ、安定したオンフォローを得ることができるに到る。
【００２１】
そして、クリック反転ドーム７はリンク５０が折り畳まれるまで押し込むことができるので、その押圧力がメンブレンスイッチ２にそのまま伝達され、確実なスイッチングを保証する。
また、クリック反転ドーム７をハウジング３と一体のキーボード基板１に支持させたことにより、メンブレンスイッチ２のスペーサ２２に打ち抜き形成される接点領域２２１の径を大きくすることができ、メンブレンスイッチ２のオン荷重を下げることができる。その結果、安定したオンフォローを確保することができる。
更に、ハウジング３でリンク５０を支持する構成であるので、リンク５０のガタツキは、リンク５０をハウジング３とメンブレンスイッチ２の２部品により保持する場合と比較して、少なくなった。ガタツキが減少したことにより、従来例において問題とされていた初圧のバラツキ、クリック反転ドームと接点間の寸法変化も減少した。
【００２２】
また、キートップ４下面に固定された状態のクリック反転ドーム７を、ハウジング３と一体のキーボード基板１の上面とキートップ４の下面の間に配置することにより、クリック反転ドーム７の初圧は一定であり、そのバラツキをなくすことができる。
そして、メンブレンスイッチ２を収容する収容凹部３０をハウジング３の上面に形成し、接点駆動操作孔１２を形成したキーボード基板１をハウジング３上面に収容凹部３０を覆ってこのキーボード基板１の一辺を収容凹部３０の内壁に形成された溝３４に押し込んでハウジング上面に取り付け固定した構成を採用することにより、ハウジング３、メンブレンスイッチ２、キーボード基板１の組み立てを簡単に実施することができる。
【００２３】
また、リンク５０の内周面を傾斜面に形成したことにより、ハウジング３にリンク５０を組み込み取り付けた状態において、クリック反転ドーム７の組み込みを極く容易にすることができる。
【図面の簡単な説明】
【図１】  実施例の斜視図。
【図２】  実施例の断面図。
【図３】  図１を上から視た図。
【図４】  実施例の他の断面図。
【図５】  従来例の断面図。
【図６】  他の従来例の断面図。
【符号の説明】
１  キーボード基板
１２  接点駆動操作孔
２  メンブレンスイッチ
３  ハウジング
３０  収容凹部
３２  脚部摺動保持部
３３  脚部回動保持部
４  キートップ
５  第１のパンタグラフ状リンク
５０  リンク
５１  第１のパンタグラフ状リンク５の脚部
６  第２のパンタグラフ状リンク
６１  第２のパンタグラフ状リンク６の脚部
７  クリック反転ドーム
７４  押圧部
【図１】
0003655449.tif 000002
【図２】
0003655449.tif 000003
【図３】
0003655449.tif 000004
【図４】
0003655449.tif 000005
【図５】
0003655449.tif 000006
【図６】
0003655449.tif 000007